(57)【要約】【課題】光軸に対する固体撮像素子の位置が変化することを補償する。【解決手段】構造体と、固定プレートと、撮像基板とを備え、前記構造体に対する前記固定プレートの熱膨張による変位方向と、前記固定プレートに対する前記撮像基板の熱膨張による変位方向とが、前記構造体に対する前記撮像基板の熱膨張による変位を相殺する方向となるように、前記固定プレートが前記構造体に固定され、かつ、前記撮像基板が前記固定プレートに固定される撮像装置を提供する。【選択図】図１
2014217033.tif 000002
【特許請求の範囲】
【請求項１】
構造体と、
固定プレートと、
撮像基板と
を備え、
前記構造体に対する前記固定プレートの熱膨張による変位方向と、前記固定プレートに対する前記撮像基板の熱膨張による変位方向とが、前記構造体に対する前記撮像基板の熱膨張による変位を相殺する方向となるように、前記固定プレートが前記構造体に固定され、かつ、前記撮像基板が前記固定プレートに固定される撮像装置。
【請求項２】
前記固定プレートのいずれかの辺は、前記構造体に固定されない移動辺であり、
前記撮像基板の辺のうち前記固定プレートの前記移動辺に最も近い一辺は、前記固定プレートに固定される固定辺であり、
前記撮像基板の辺のうち前記固定辺と反対側の辺は、前記固定プレートに対して固定されない請求項１に記載の撮像装置。
【請求項３】
前記固定プレートは、前記固定プレートの前記移動辺と反対側の辺において前記構造体に固定される請求項２に記載の撮像装置。
【請求項４】
前記撮像基板は、前記撮像基板の前記固定辺の固定部材により前記固定プレートに固定される請求項２から３のいずれか一項に記載の撮像装置。
【請求項５】
前記固定部材は、前記撮像基板の前記固定辺の中心にある請求項４に記載の撮像装置。
【請求項６】
前記固定プレートは、前記撮像基板よりも大きな開口を有し、
前記開口の対向する二辺には、前記撮像基板の面の法線方向において前記撮像基板と重なる突出部がそれぞれ設けられ、
前記突出部には、前記撮像基板と接する凸部が設けられる請求項４または５に記載の撮像装置。
【請求項７】
前記凸部は、前記撮像基板の前記固定辺の側における左側接点および右側接点、ならびに、前記撮像基板の前記固定辺と反対側における中央接点を有し、
前記撮像基板の表面において、前記左側接点と前記右側接点との間に前記固定部材がある請求項６に記載の撮像装置。
【請求項８】
前記撮像基板は長方形形状であり、
前記撮像基板の前記固定辺は長方形形状の長辺である請求項２から７のいずれか一項に記載の撮像装置。
【請求項９】
前記撮像基板に接する撮像チップをさらに備え、
前記撮像基板と接する面と反対側の前記撮像チップの面は、空間に接する請求項１から８のいずれか一項に記載の撮像装置。
【請求項１０】
前記撮像基板の入射光側の表面には、赤外線カット層および反射防止層の少なくともいずれか一つが設けられる請求項１から９のいずれか一項に記載の撮像装置。
【発明の詳細な説明】
【技術分野】
【０００１】
本発明は、撮像装置に関する。
【０００２】
従来、固体撮像素子をガラス基板上にＣＯＧ（チップ・オン・グラス）方式により実装して、当該ガラス基板をセンサ取付け部に固定していた（例えば、特許文献１参照）。
［先行技術文献］
［特許文献］
【特許文献１】特開２０１２−０４９３８３号公報
【発明の概要】
【発明が解決しようとする課題】
【０００３】
しかしながら、センサ取付け部またはガラス基板が熱膨張すると、光軸に対する固体撮像素子の位置が変化する。
【課題を解決するための手段】
【０００４】
本発明の第１の態様においては、構造体と、固定プレートと、撮像基板とを備え、前記構造体に対する前記固定プレートの熱膨張による変位方向と、前記固定プレートに対する前記撮像基板の熱膨張による変位方向とが、前記構造体に対する前記撮像基板の熱膨張による変位を相殺する方向となるように、前記固定プレートが前記構造体に固定され、かつ、前記撮像基板が前記固定プレートに固定される撮像装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】第１の実施形態における撮像装置の内部に設けられる撮像素子部の上面を示す図である。
【図２Ａ】第１の実施形態における撮像装置の内部に設けられる撮像素子部の熱膨張前を示す図である。
【図２Ｂ】第１の実施形態における撮像装置の内部に設けられる撮像素子部の熱膨張後を示す図である。
【図３】第１の実施形態における撮像装置の内部に設けられる撮像素子部の底面を示す図である。
【図４】図１におけるＡ‐Ａ部分の断面を示す図である。
【図５】図１におけるＢ‐Ｂ部分の断面を示す図である。
【図６】第１の実施形態における撮像装置の内部に設けられる、撮像素子部およびその他の部材の斜視図である。
【図７】図６において撮像チップを通るＸ‐Ｚ平面の断面図である。
【図８】第１の実施形態における撮像素子部を組み込んだ一眼レフカメラの断面図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、第１の実施形態における撮像装置の内部に設けられる撮像素子部１００の上面を示す図である。撮像素子部１００は、撮像基板としてのガラス基板１０、固定プレート２０、および構造体としてのミラーボックス５０を備える。固定プレート２０は、ミラーボックス５０に固定される。ガラス基板１０の裏面には、撮像チップ１５が設けられる。また、入射光はガラス基板１０の表面から入射する。本例では、ガラス基板１０の法線方向をＺ方向とする。なお、ガラス基板１０の長辺方向をＸ方向とし、ガラス基板１０の短辺方向をＹ方向とする。
【０００９】
固定プレート２０は、ミラーボックス５０に対して正確に位置合わせされる。固定プレート２０は、ミラーボックス５０の互いに異なる三ヶ所の当付部５１−１、当付部５１−２および当付部５１−３（当付部５１）において正確に位置合わせされる。なお、三ヶ所の当付部５１は一直線上にはない。本例では、固定プレート２０のＹ方向上端近傍の二ヶ所に当付部５１−１および当付部５１−２が設けられ、Ｙ方向下端近傍かつＸ方向下端近傍の一か所に当付部５１−３が設けられる。当付部５１−１および当付部５１−２は、Ｙ方向においてビス２６およびビス２７と対向して設けられる。当付部５１−３は、Ｘ方向においてビス２８と対向して設けられる。
【００１０】
固定プレート２０は、ミラーボックス５０に固定される。本例では、固定プレート２０のＹ方向上端近傍に、固定辺３０が設けられる。固定プレート２０のＹ方向上端近傍の二ヶ所は、固定部材としてのビス２６および固定部材としてのビス２７によりミラーボックス５０に対して固定される。固定プレート２０のＹ方向上端近傍の二ヶ所には、穴部がそれぞれ設けられる。ビス２６およびビス２７は、固定プレート２０のそれぞれの穴部にはめ込まれる。ただし、穴部はＸ−Ｙ平面において、ビス２６およびビス２７に対して遊びを持っている。ビス２６およびビス２７は、固定プレート２０をミラーボックス５０にＺ方向において押さえ込む。すなわち、ビス２６およびビス２７は、固定プレート２０をミラーボックス５０にＺ方向において固定する。
【００１１】
固定プレート２０のいずれかの辺は、ミラーボックス５０に固定されない移動辺２９である。本例では、固定プレート２０は、固定辺３０においてミラーボックス５０に固定され、固定辺３０と反対側の辺が移動辺２９である。なお、固定プレート２０のビス２８近傍の部分も、移動辺２９の一部である。
【００１２】
固定プレート２０のＹ方向下端近傍かつＸ方向下端近傍の一か所には、固定部材としてのビス２８が設けられる。固定プレート２０のＹ方向下端近傍かつＸ方向下端近傍の一か所には、穴部が設けられる。ビス２８は、固定プレート２０の当該穴部にはめ込まれる。ただし、穴部はＸ−Ｙ平面において、ビス２８に対して遊びを持っている。また、固定プレート２０がビス２８に対して摺動するように、ビス２８はＺ方向において固定プレート２０と接して設けられる。
【００１３】
固定プレート２０は、ガラス基板１０よりも大きな開口２１を有する。つまり、開口２１は、ガラス基板１０のＸ‐Ｙ面における輪郭よりも大きい。また、開口２１の対向する二辺には、ガラス基板１０の面の法線方向においてガラス基板１０と重なる突出部２２がそれぞれ設けられる。本例では、開口２１のＹ方向上端およびＹ方向下端の二辺において、開口中心に向けて突出する突出部２２がそれぞれ設けられる。突出部２２は、Ｚ方向においてガラス基板１０と重なる。
【００１４】
ガラス基板１０は、固定部材としての接着材４０により固定プレート２０に固定される。なお、ガラス基板１０の辺のうち固定プレート２０の移動辺２９に最も近い一辺が、接着材４０により固定プレート２０に固定される固定辺１２となる。ガラス基板１０の固定辺１２の接着材４０は、ガラス基板１０の固定辺１２の中心に設ける。本例では、接着材４０により、ガラス基板１０のＹ方向下端の中心が固定プレート２０に対して固定される。したがって、ガラス基板１０のＹ方向下端の一辺が固定辺１２となる。なお、ガラス基板１０の辺のうち固定辺１２と反対側の辺は、固定プレート２０に対して固定されない移動辺１３である。したがって、ガラス基板１０の辺のうち固定辺１２と反対側の辺は、Ｙ方向に変位する。
【００１５】
Ｙ方向の正および負方向において突出する突出部２２のそれぞれには、Ｚ方向に突出し、ガラス基板１０と接する凸部が設けられる。ガラス基板１０は、突出部２２に設けられた凸部に接して支持される。本例では、凸部は、ガラス基板１０の固定辺１２の側における左側凸部２４および右側凸部２５、ならびに、ガラス基板１０の固定辺１２と反対側における中央凸部２３を有する。なお、突出部２２の材料が金属である場合には、凸部は押し出し加工により形成してよい。また、接着材４０は、ガラス基板１０の表面において、左側凸部２４と右側凸部２５との間に設けられる。さらに、接着材４０は、左側凸部２４と右側凸部２５とを結ぶ線分の中心線上にある。中央凸部２３は、当該中心線上にある。
【００１６】
ガラス基板１０は、ガラス基板１０の表面から入射する光を撮像チップ１５に透過させる。撮像チップ１５と接するガラス基板１０の表面には、撮像チップの電気信号を伝達させるためのパッドおよび配線等が設けられる。当該電気信号は、ガラス基板１０に設けられたバンプおよび当該バンプに電気的に接続される可撓性基板を経て、撮像装置内の後段の処理回路へ電気的に伝達される。
【００１７】
ガラス基板１０の入射光側の表面には、赤外線カット層および反射防止層およびローパスフィルタの少なくともいずれか一つが設けられてもよい。ガラス基板１０のＺ方向の最表面に赤外線カット層、反射防止層およびローパスフィルタを少なくとも一つ設けることにより、赤外線カット層、反射防止層およびローパスフィルタの機能を有する別途の構成部材を省略することができる。
【００１８】
本例においては、ガラス基板１０は長方形形状であり、ガラス基板１０の固定辺１２は長方形形状の長辺である。すなわち、ガラス基板１０において、Ｘ軸方向の辺は長辺であり、Ｙ軸方向の辺は短辺である。しかし、ガラス基板１０は、Ｙ軸方向の辺を長辺として、Ｘ軸方向の辺を短辺としてもよい。
【００１９】
図２Ａは、第１の実施形態における撮像装置の内部に設けられる撮像素子部１００の熱膨張前を示す図である。撮像チップ１５は通電時において発熱する。撮像チップ１５から発せられた熱はガラス基板１０および固定プレート２０に伝達する。ガラス基板１０および固定プレート２０は、当該熱を受けて熱膨張する。
【００２０】
本例においては、ミラーボックス５０に対する固定プレート２０の熱膨張による変位方向と、固定プレート２０に対するガラス基板１０の熱膨張による変位方向とが、ミラーボックス５０に対するガラス基板１０の熱膨張による変位を相殺する方向となるように、固定プレート２０がミラーボックス５０に固定され、かつ、ガラス基板１０が固定プレート２０に固定される。なお、変位を相殺するとは、ガラス基板１０の変位と固定プレート２０の変位とを打ち消すことを意味する。ただし、互いの変位を完全に打ち消し合うことだけを意味するのではなく、部分的に打ち消し合うことも含む。したがって、ガラス基板１０の変位と固定プレート２０の変位とが逆方向であれば、互いの変位は相殺される。また、互いの変位の方向は、完全に逆方向でなくともよい。つまり、互いの変位を示すベクトルに逆方向の成分が含まれていればよい。
【００２１】
固定プレート２０はＹ方向上端においてビス２６およびビス２７によりミラーボックス５０に固定されている。したがって、固定プレート２０が熱膨張する場合に、固定プレート２０のＹ方向下端である移動辺２９が、ミラーボックス５０に対してＹ軸負方向に変位する。固定プレート２０が変位する方向を変位方向３６とする。
【００２２】
ガラス基板１０はＹ方向下端において接着材４０により固定プレート２０に固定されている。したがって、ガラス基板１０が熱膨張する場合に、ガラス基板１０のＹ方向上端の辺が固定プレート２０に対してＹ軸正方向に変位する。ガラス基板１０が変位する方向を変位方向３７とする。
【００２３】
図２Ｂは、第１の実施形態における撮像装置の内部に設けられる撮像素子部１００の熱膨張後を示す図である。なお、熱膨張前のガラス基板１０、および熱膨張前の固定プレート２０の輪郭を破線により示す。なお、図２Ｂの説明においては、ガラス基板１０および固定プレート２０のＸ方向の熱膨張に関する説明は省略して、Ｙ方向の熱膨張を誇張して模式的に表している。
【００２４】
固定プレート２０の下端は、熱膨張によりＹ軸負方向に変位して、熱膨張後の固定プレート４２の位置に変位する。熱膨張の前後における固定プレート２０のＹ方向下端のミラーボックス５０に対する変位量をΔＹ１とする。熱膨張により、固定プレート２０の下端近傍に固定されたガラス基板１０の全体がＹ軸負方向にΔＹ１だけ変位する。
【００２５】
熱膨張前のガラス基板１０−１の輪郭を破線により示す。ガラス基板１０−１は中央凸部２３のＺ軸正方向に位置している。ガラス基板１０−１は、固定プレート２０の変位に伴い、固定プレート４２の移動辺２９に設けられた接着材４０の位置に、ガラス基板１０−１のＹ軸方向の下端が位置するように変位する。当該変位後のガラス基板１０−２の輪郭を同様に破線により示す。
【００２６】
また、ガラス基板１０の上端は、熱膨張によりＹ軸正方向に変位して、熱膨張後のガラス基板４１の位置に変位する。当該熱膨張後のガラス基板４１の輪郭を実線により示す。熱膨張の前後におけるガラス基板１０のＹ方向上端のミラーボックス５０に対する変位量をΔＹ２とする。
【００２７】
固定プレート２０およびガラス基板１０の熱膨張に伴い、ガラス基板１０に設けられた撮像チップ１５の中心点１６のミラーボックス５０に対する位置も変化する。固定プレート２０がＹ軸負方向へ変位する場合において、中心点１６がミラーボックス５０に対して変位する量をΔＹ３とする。また、ガラス基板１０がＹ軸正方向へ変位する場合において、中心点１６がミラーボックス５０に対して変位する量をΔＹ４とする。なお、中心点１６の変位は、固定プレート２０の変位量およびガラス基板１０の変位量に比べて小さいので、ΔＹ３はΔＹ１よりも小さく、ΔＹ４はΔＹ２よりも小さい。
【００２８】
熱膨張の前後における、ガラス基板１０の変位方向および固定プレート２０の変位方向は互いに逆方向であるので、ミラーボックス５０に対するガラス基板１０の変位を相殺する。すなわち、変位量ΔＹ１およびΔＹ２は相殺される。したがって、ガラス基板１０に載置されたガラス基板１０の中心点１６の変位量ΔＹ３およびΔＹ４も相殺される。それゆえ、熱膨張に伴う中心点１６のミラーボックス５０に対する位置ずれを最小限に抑えることができる。なお、ガラス基板１０および固定プレート２０の変位方向が逆方向であれば変量相殺の効果があるので、変位量ΔＹ１およびΔＹ２ならびに変位量ΔＹ３およびΔＹ４は、それぞれ同値でなくてもよい。
【００２９】
図３は、第１の実施形態における撮像装置の内部に設けられる撮像素子部１００の底面を示す図である。撮像チップ１５は、ガラス基板１０に対して入射光側とは逆方向に載置される。
【００３０】
固定部５２−１から固定部５２−３（固定部５２）は、ミラーボックス５０の一部である。ビス２６、ビス２７、およびビス２８を固定部５２−１、固定部５２−２、および固定部５２−３の穴部にはめこんで、固定プレート２０をミラーボックス５０に対して固定する。ただし、上述の通り、固定プレート２０がビス２８に対して摺動するように、ビス２８はＺ方向において固定プレート２０と接して設けられる。
【００３１】
図４は、図１におけるＡ‐Ａ部分の断面を示す図である。撮像チップ１５は、撮像領域がガラス基板１０と向き合うようにガラス基板１０に載置される。ガラス基板１０は、開口２１に設けられた突出部２２上の右側凸部２５および中央凸部２３に接して支持される。また、ガラス基板１０の固定プレート２０に対するＺ方向の位置は、左側凸部２４、右側凸部２５、および中央凸部２３のＺ方向の高さによって定められる。ガラス基板１０は、ガラス基板１０および固定プレート２０に亘って設けられた接着材４０により、固定プレート２０に対して固定される。
【００３２】
撮像チップ１５は、バンプ４４および接着材４６を介してガラス基板１０に接着される。ガラス基板１０と撮像チップ１５との間は、バンプ４４および接着材４６により密封され、密封空間４８が形成される。
【００３３】
ガラス基板１０と接する面と反対側の撮像チップ１５の面は、空間に接する。すなわち、撮像チップ１５においてＺ方向が最も低い面は、他の構成部材には接しない。当該構成により、撮像領域がある面と反対側の撮像チップ１５の面を一点固定するという従来の固定方法のデメリットを解消することができる。
【００３４】
従来の固定方法においては、光軸に対する撮像チップ１５の熱膨張による変位を防ぐべく、撮像領域の中心点を固定プレート２０等に固定している。この場合、撮像チップ１５の裏面に固定プレート２０等を設けなければならず、撮像チップ１５を含む撮像ユニットを薄型化することが困難であった。しかし、本例の撮像素子部１００では、撮像領域の中心点を固定せずに、光軸に対する撮像チップ１５の変位を低減できるので、固定プレート２０を撮像チップ１５の裏面に設けなくともよい。したがって、撮像チップ１５を含む撮像ユニットを薄型化することができる。
【００３５】
接着材４０は、本例では接着材である。接着剤として、アクリル系樹脂、シリコーン系樹脂、エポキシ系樹脂を用いてよい。接着材４０のＸ方向およびＹ方向の長さは、固定プレート２０およびミラーボックス５０の熱膨張による変位差の影響を受けない長さとしてよい。当該変位差の影響を受けない長さとは、ガラス基板１０の固定辺１２よりも小さい長さであってよい。より具体的には、接着材は、セラミック系接着剤を用い、線熱膨張係数が３（１０−６／Ｋ）のオーダーであり、かつ、−５０℃から＋５０℃の温度において変形差が５μｍより大きく２０μｍより小さくてよい。
【００３６】
図５は、図１におけるＢ‐Ｂ部分の断面を示す図である。ビス２８は、固定部５２−３に設けられた下穴５３に螺入される。ビス２８は、ビス２８の段部３３が固定プレート２０と接して設けられる。固定プレート２０の穴部の直径１７は、ビス２８の直径３１よりも大きい。したがって、固定プレート２０の穴部には、遊び１８が形成される。当該構成により、固定プレート２０はＸ−Ｙ平面において摺動することができる。本例では、固定プレート２０はミラーボックス５０に対してＹ方向の正方向にΔＹ１だけ摺動する。
【００３７】
図６は、第１の実施形態における撮像装置の内部に設けられる、撮像素子部１００およびその他の部材の斜視図である。撮像素子部１００には、その他の部材として、ローパスフィルタ用のホルダ６０、ローパスフィルタ７０、ならびにホルダ６０およびローパスフィルタ７０を固定プレート２０に固定する固定部材８０が設けられる。
【００３８】
ホルダ６０は開口６４を有する。開口６４の縁には当付部６１が設けられる。ホルダ６０のＺ方向の下方において、当付部６１はガラス基板１０と接する。また、ホルダ６０のＺ方向の上方において、ローパスフィルタ７０は、ホルダ６０の開口６４において、当付部６１に接して載置される。
【００３９】
固定部材８０は開口８４を有する。開口８４の縁において、固定部材８０は、ホルダ６０に載置されたローパスフィルタ７０と接する当付部８５を有する。固定部材８０は、ホルダ６０および固定プレート２０上に載置される。固定部材８０のＺ方向下方において、ホルダ６０は、固定部材８０および固定プレート２０に挟まれて固定される。固定プレート２０および固定部材８０は、Ｘ方向の両端に下穴３９および穴部８１をそれぞれ有しており、固定部材８２により互いに固定される。
【００４０】
図７は、図６において撮像チップ１５を通るＸ‐Ｚ平面の断面図である。ホルダ６０は開口６４の周辺において当付部６１を有する。本例において、当付部６１は、Ｘ方向ならびにＺ方向の正および負方向に突出している。また、固定部材８０は開口８４の周辺において当付部８５を有する。本例において、当付部８５は、Ｚ方向の負方向に突出している。
【００４１】
ローパスフィルタ７０は、当付部６１および当付部８５に挟まれて固定される。なお、ホルダ６０および当付部６１は、同一の材料であってよい。ホルダ６０および当付部６１の材料は、モールド形成された樹脂材料であってよい。ホルダ６０および当付部６１に樹脂材料を用いることより、ガラス基板１０とローパスフィルタ７０との間を密着固定することができる。また、固定部材８０および当付部８５も、同一の材料であってよい。
【００４２】
ホルダ６０は、固定部材８０および固定プレート２０に挟まれて固定される。ガラス基板１０は、当付部６１ならびに前述の突出部２２に設けられた中央凸部２３、左側凸部２４、および右側凸部２５と接触する。なお、図７においては、中央凸部２３、左側凸部２４、および右側凸部２５は表れない。
【００４３】
固定プレート２０および固定部材８０を固定部材８２により互いに固定することで、固定プレート２０、ガラス基板１０、ホルダ６０、ローパスフィルタ７０、および固定部材８０が互いに固定される。当該固定により、ガラス基板１０のＺ方向の位置が定められる。
【００４４】
図８は、第１の実施形態における撮像素子部１００を組み込んだ一眼レフカメラ４００の断面図である。一眼レフカメラ４００は撮像素子部１００の一実施形態である。一眼レフカメラ４００は、レンズユニット５００およびカメラボディ６００を備える。カメラボディ６００には、レンズユニット５００が装着される。レンズユニット５００は、その鏡筒内に、光軸４１０に沿って配列された光学系を備え、入射する被写体光束をカメラボディ６００の撮像素子部１００へ導く。
【００４５】
カメラボディ６００は、レンズマウント５５０に結合されるボディマウント６６０の後方にメインミラー６７２およびサブミラー６７４を備える。メインミラー６７２は、レンズユニット５００から入射した被写体光束に斜設される斜設位置と、被写体光束から退避する退避位置との間で回動可能に軸支される。サブミラー６７４は、メインミラー６７２に対して回動可能に軸支される。
【００４６】
メインミラー６７２が斜設位置にある場合、レンズユニット５００を通じて入射した被写体光束の多くはメインミラー６７２に反射されてピント板６５２に導かれる。ピント板６５２は、撮像チップの受光面と共役な位置に配されて、レンズユニット５００の光学系が形成した被写体像を可視化する。ピント板６５２に形成された被写体像は、ペンタプリズム６５４およびファインダ光学系６５６を通じてファインダ６５０から観察される。斜設位置にあるメインミラー６７２に入射した被写体光束の一部は、メインミラー６７２のハーフミラー領域を透過しサブミラー６７４に入射する。サブミラー６７４は、ハーフミラー領域から入射した光束の一部を、合焦光学系６８０に向かって反射する。合焦光学系６８０は、入射光束の一部を焦点検出センサ６８２に導く。
【００４７】
ピント板６５２、ペンタプリズム６５４、メインミラー６７２、サブミラー６７４は、構造体としてのミラーボックス５０に支持される。撮像素子部１００は、上述のようにミラーボックス５０に取り付けられる。メインミラー６７２およびサブミラー６７４が退避位置に退避し、シャッタユニット３４０の先幕および後幕が開状態となれば、レンズユニット５００を透過する被写体光束は、撮像チップの受光面に到達する。なお、一眼レフカメラ４００がミラーレスである場合は、撮像素子部１００をミラーボックス５０に代わる構造体に固定して設けてよい。
【００４８】
撮像素子部１００の後方には、ボディ基板６２０および背面表示部６３４が順次配置される。液晶パネル等が採用される背面表示部６３４は、カメラボディ６００の背面に現れる。ボディ基板６２０には、ＣＰＵ６２２、画像処理ＡＳＩＣ６２４等の電子回路が実装される。撮像チップ１５の出力は、上述のガラス基板に電気的に接続された可撓性基板を介して画像処理ＡＳＩＣ６２４へ引き渡される。
【００４９】
上述の実施形態においては、撮像装置として一眼レフカメラ４００を例に説明したが、カメラボディ６００を撮像装置と捉えても良い。また、撮像装置は、ミラーユニットを備えるレンズ交換式カメラに限らず、ミラーユニットを持たないレンズ交換式カメラ、ミラーユニットの有無に関わらずレンズ一体式カメラであっても良い。
【００５０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００５１】
１０  ガラス基板、１０−１  ガラス基板、１０−２  ガラス基板、１２  固定辺、１３  移動辺、１５  撮像チップ、１６  中心点、１７  直径、１８  遊び、２０  固定プレート、２１  開口、２２  突出部、２３  中央凸部、２４  左側凸部、２５  右側凸部、２６  ビス、２７  ビス、２８  ビス、２９  移動辺、３０  固定辺、３１  直径、３３  段部、３６  変位方向、３７  変位方向、３９  下穴、４０  接着材、４１  ガラス基板、４２  固定プレート、４４  バンプ、４６接着材、密封空間４８、５０  ミラーボックス、５１  当付部、５１−１  当付部、５１−２  当付部、５１−３  当付部、５２  固定部、５２−１  固定部、５２−２  固定部、５２−３  固定部、５３  下穴、６０  ホルダ、６１  当付部、６４  開口、７０  ローパスフィルタ、８０  固定部材、８１穴部、８２  固定部材、８４  開口、８５  当付部、１００  撮像素子部、４１０  光軸、４００  一眼レフカメラ、５００  レンズユニット、５５０  レンズマウント、６００  カメラボディ、６２０  ボディ基板、６２２  ＣＰＵ、６２４  画像処理ＡＳＩＣ、６３４  背面表示部、６５０  ファインダ、６５２  ピント板、６５４  ペンタプリズム、６５６  ファインダ光学系、６６０  ボディマウント、６７２  メインミラー、６７４  サブミラー、６８０  合焦光学系、６８２  焦点検出センサ
【図１】
2014217033.tif 000003
【図２Ａ】
2014217033.tif 000004
【図２Ｂ】
2014217033.tif 000005
【図３】
2014217033.tif 000006
【図４】
2014217033.tif 000007
【図５】
2014217033.tif 000008
【図６】
2014217033.tif 000009
【図７】
2014217033.tif 000010
【図８】
2014217033.tif 000011